(57)【要約】【課題】  演奏者が通常の鍵盤楽器演奏用の椅子に座る場合と、ソファー等にくつろいだ状態で座る場合との双方の態様において、追加脚のような補助部品等の着脱を行うことなく無理の無い姿勢で演奏を行うことができる電子鍵盤楽器を提供する。【解決手段】  鍵盤１２、スピーカ１６等を備えた本体部１０の下面には、後方（図上では右方向）に傾斜しつつ筒状に形成された上スタンド部７２が固定されている。下スタンド部７４は、上スタンド部７２よりも若干寸法の小さい筒状に形成され、その上端部分は上スタンド部７２内に挿通されている。下スタンド部７４をさらに深く挿入すると、本体部１０が降下するとともに、本体部１０が前方（図上で左方向）に移動するから、演奏者９０がソファ等に座った場合に無理の無い姿勢で演奏を行うことができる。【選択図】  図４
2008281592.tif 000002
【特許請求の範囲】
【請求項１】
少なくとも演奏操作子と電子音源とを備える本体部と、床面に設置されるスタンド部とを備える電子楽器において、
前記スタンド部は、
前記床面からの前記本体部の高さを調節および固定する高さ調節機構と、
前記本体部が降下する際に該本体部が前方に移動するように、該本体部を斜め方向にガイドするガイド機構と
を有することを特徴とする電子楽器。
【請求項２】
前記スタンド部は、
前記床面に載置される下スタンド部と、
前記下スタンド部に固定されるペダルユニットと、
前記下スタンド部に対して相対的に位置調節が可能な一または複数の上スタンド部と
をさらに有することを特徴とする請求項１記載の電子楽器。
【発明の詳細な説明】
【技術分野】
【０００１】
本発明は、電子ピアノまたは電子オルガン等に用いて好適な電子楽器に関する。
【背景技術】
【０００２】
電子ピアノまたは電子オルガン等の電子鍵盤楽器は、大人から幼児まで様々な体型のユーザに使用されるものであるため、ユーザの体型に応じて各種寸法調節が可能なものが知られている。例えば、特許文献１には、ペダル鍵盤等を含むペダルユニットを備えた電子鍵盤楽器において、ペダルユニットの取り付け位置を上下方向に調節可能なものが開示されている。
【０００３】
また、電子鍵盤楽器において各種寸法調節を可能にする理由は、ユーザの体型に対応するという理由には限られず、電子鍵盤楽器を楽しむ「ライフスタイル」に対応するために、各種寸法調節を可能にする場合もある。例えば、特許文献２においては、ソファー、または床などに座ってくつろいだ状態で演奏を楽しむために、床面からの鍵盤の高さをローテーブルと同様の高さ（３５０〜５００ｍｍ）にした電子鍵盤楽器が開示されている。ここで、通常の鍵盤楽器演奏用の椅子（高さ約４５０ｍｍ）に座った状態でも演奏を可能にするため、この電子鍵盤楽器は、所定高さの追加脚（高さ約３００ｍｍ）を装着できるように構成されている。
【０００４】
【特許文献１】実開平６−２１０９２号公報
【特許文献２】特開２００７−０２５４４２号公報
【発明の開示】
【発明が解決しようとする課題】
【０００５】
しかし、特許文献１に開示された技術においては、特に子供が演奏する際に、足が宙に浮いた状態になり、足を踏ん張ることができなくなる。このため、ペダルまたはペダル鍵盤などを安定して操作することができなくなるという問題があった。
また、特許文献２に開示された技術においては、電子鍵盤楽器の高さを変更する度に追加脚を着脱するため、取扱いが煩雑になるという問題があった。
また、ユーザがソファーなどにくつろいだ状態で座る場合には、ソファーなどに深く腰掛け、背もたれに若干もたれるようにして座る場合が多い。かかる場合には、ユーザの肩の位置が後方に移動するため、手をまっすぐ前に伸ばしたときの、手の位置も後方に移動することになる。従って、ユーザの「座り方」に応じて鍵盤等の前後方向の位置も適切に設定できることが望ましい。
この発明は上述した事情に鑑みてなされたものであり、大人から子供まで、追加脚のような補助部品の着脱を行うことなく、安定した姿勢状態で演奏を行うことができる電子楽器を提供することを第１の目的としている。また、ユーザが通常の鍵盤楽器演奏用の椅子に座った場合においても、ソファー等にくつろいだ状態で座った場合においても、無理の無い姿勢で演奏を行うことができる電子楽器を提供することを第２の目的としている。
【課題を解決するための手段】
【０００６】
上記課題を解決するため本発明にあっては、下記構成を具備することを特徴とする。なお、括弧内は例示である。
請求項１記載の電子楽器にあっては、少なくとも演奏操作子（１２）と電子音源とを備える本体部（１０）と、床面に設置されるスタンド部（７２，７４，２２，２４）とを備える電子楽器において、前記スタンド部（７２，７４，２２，２４）は、前記床面からの前記本体部（１０）の高さを調節および固定する高さ調節機構（７２ａ，７４ａ，７６，３０）と、前記本体部（１０）が降下する際に該本体部（１０）が前方に移動するように、該本体部（１０）を斜め方向にガイドするガイド機構（７２，７４，２６）とを有することを特徴とする。
さらに、請求項２記載の構成にあっては、請求項１記載の電子楽器において、前記スタンド部（７２，７４，２２，２４）は、前記床面に載置される下スタンド部（７４）と、前記下スタンド部（７４）に固定されるペダルユニット（８０）と、前記下スタンド部（７４）に対して相対的に位置調節が可能な一または複数の上スタンド部（７２）とをさらに有することを特徴とする。
【発明の効果】
【０００７】
このように、本発明によれば、床面からの本体部の高さを調節および固定する高さ調節機構を設けたから、大人から子供まで、追加脚のような補助部品の着脱を行うことなく、安定した姿勢状態で演奏を行うことができる。さらに、本体部が降下する際に該本体部が前方に移動するように、ガイド機構が該本体部を斜め方向にガイドするから、ソファー等にくつろいだ状態で座った場合においても、無理の無い姿勢で演奏を行うことができる。
【発明を実施するための最良の形態】
【０００８】
1．第１実施例
次に、本発明の第１実施例の電子鍵盤楽器（電子ピアノ）を図１を参照し説明する。
図１において１０は本体部であり、鍵盤１２、譜面台１４、スピーカ１６、電子音源およびその他各種電気回路（図示せず）が設けられている。７２は左右に一対設けられた上スタンド部であり、略長方形の断面形状を有し、後方（図上では右方向）に傾斜した筒状に形成されている。また、上スタンド部７２の上端部は本体部１０の下面に固定されている。７４は床面に載置される下スタンド部であり、上スタンド部７２と同様に左右に一対設けられ、上スタンド部７２よりも若干寸法の小さい略長方形の断面形状を有し後方に傾斜した筒状に形成され、下スタンド部７４の上端部は上スタンド部７２内に挿入されている。
【０００９】
上スタンド部７２の側面の前部および後部には、斜め上下方向に沿って等間隔に複数のネジ穴７２ａ，…，７２ａが形成されており、下スタンド部７４においても対向する箇所にネジ穴７４ａ，…，７４ａが形成されている。７６，…，７６はネジであり、各々が上スタンド部７２の何れかのネジ穴７２ａ，…，７２ａと、下スタンド部７４の何れかのネジ穴７４ａ，…，７４ａとを挿通して螺合され、上下スタンド部７２，７４を図示の位置に固定している。これにより、上下スタンド部７２，７４は、本体部１０が降下する際に該本体部１０が前方に移動するように、該本体部１０を斜め方向にガイドするガイド機構を兼ねる。７８は梁部材であり、左右の下スタンド部７４に固定され、左右の下スタンド部７４の間隔を所定間隔に保持する。９２は通常の鍵盤楽器演奏用の椅子であり、例えば「４５０〜５６０ｍｍ」の範囲で高さ調節が可能になっている。
【００１０】
図１において本体部１０の高さおよび椅子９２の高さは、大人の演奏者９０に対して最適な寸法に設定されている。また、この電子鍵盤楽器の正面図を図２に示す。ここで、ユーザがネジ７６，…，７６を外し、上スタンド部７２に対して下スタンド部７４をさらに深く挿入し、再びネジ７６，…，７６によって上下スタンド部７２，７４を固定した場合の側面図を図３に示す。なお、図３において本体部１０の高さおよび椅子９２の高さは、子供の演奏者９４に対して最適な寸法に設定されている。
このように、本実施例によれば、追加脚のような補助部品の着脱を行うことなく、大人から子供まで安定した姿勢状態で演奏を行うことができる。また、特にピアノの場合は、演奏者が足を踏ん張れる状態にあるかどうかで、音量が明らかに違ってくることが知られており、本実施例のように子供においても安定して足を踏ん張れる姿勢状態で演奏を行えることが望ましい。
【００１１】
2．第２実施例
次に、本発明の第２実施例の電子鍵盤楽器を図４を参照し説明する。
本実施例の電子鍵盤楽器は、第１実施例のものと同様に構成されているが、梁部材７８には、ペダルユニット８０が固定されている。このペダルユニット８０は、例えば、ダンパー、ソフト、ソステヌートなどの複数のペダルを実装してなるものである。なお、図４における本体部１０および椅子９２の高さは、上述した図１の場合と同様に、大人の演奏者９０に対して最適な寸法に設定されている。
【００１２】
ここで、図２の場合と同様に、上スタンド部７２に対して下スタンド部７４をさらに深く挿通し、ネジ７６，…，７６によって上下スタンド部７２，７４を固定した場合の側面図を図５に示す。ここで、大人の演奏者９０は、リラックスした姿勢でソファ９６に座っている。すなわち、演奏者９０は、ソファ９６に深く腰掛けるとともに、ソファ９６の背もたれに若干もたれ、両足は自然に前方向に向かって伸ばしている。
【００１３】
以上のように、本実施例によれば、演奏者９０が通常の鍵盤楽器演奏用椅子９２、またはソファ９６の何れに座る場合においても、追加脚のような補助部品の着脱を伴うことなく安定した姿勢状態で演奏を行うことができる。
さらに、本実施例においては、上下スタンド部７２，７４が後方に傾斜しているため、図４の状態と比較すると、図５においては、本体部１０はペダルユニット８０に対して前方向（図上では左方向）に移動する。換言すれば、本体部１０の位置を基準として考えると、ペダルユニット８０の位置が奥行き方向に遠のいてゆくようになる。これにより、演奏者９０が座面の低い椅子に座って、足を投げ出したようなくつろいだ状態においても、無理の無い姿勢で電子鍵盤楽器を演奏することができる。
【００１４】
3．第３実施例
次に、本発明の第３実施例の電子鍵盤楽器を図６を参照し説明する。
図６において本体部１０は第１実施例のものと同様であるが、第１実施例における上下スタンド部７２，７４に代えて、本実施例では左右一対の上スタンド部２２および下スタンド部２４が設けられている。また、図６において図１の各部に対応する部分には、同一の符号を付す。上下スタンド部２２，２４の形状は第１実施例の上下スタンド部７２，７４と同様であり、上スタンド部２２は本体部１０に固定され、下スタンド部２４は床面に載置される。また、下スタンド部２４は上スタンド部２２に挿入されているが、上下スタンド部２２，２４には、ネジ穴７２ａ，７４ａに相当するものは形成されていない。
【００１５】
左右の下スタンド部２４の内部下方には、鋸歯状に形成された台座２８が設けられている。但し、図６においては、右側の上下スタンド部２２，２４と、その台座２８のみを示す。３０はガスシリンダーであり、略円筒状のシリンダー部３０ａと、該シリンダー部３０ａから下方に突出する略円柱状のピストン部３０ｂとから構成されている。２６はガイド部であり、略円筒状のガイドシリンダー２６ａと、該ガイドシリンダー２６ａに挿通するガイドピストン２６ｂとから構成されている。４０はガスシリンダー操作部であり、本体部１０の下面に固定されガスシリンダー３０の伸縮操作を行う。
【００１６】
３２は側面視が略「Ｌ」字状に形成されたフランジ部であり、「Ｌ」字の開放部分を上方に向けて本体部１０の下面に固定されている。ガイドシリンダー２６ａは、その上端部が本体部１０の下面に固定され、ガイドピストン２６ｂは、その下端部が台座２８に固定されている。また、ガスシリンダー３０のピストン部３０ｂは台座２８に固定され、シリンダー部３０ａの上端部はフランジ部３２に固定されている。なお、図６においては、ガスシリンダー３０およびガイド部２６は電子鍵盤楽器の右側面部分に設けられているもののみを図示するが、同様に構成されたガスシリンダーおよびガイド部が左側面部分にも設けられている。ここで、ガスシリンダー操作部４０を操作して本体部１０の位置を下げると、電子鍵盤楽器の右側面視は図７に示すようになる。なお、図７において本体部１０の高さおよび椅子９２の高さは、子供の演奏者９４に対して最適な寸法に設定されている。
【００１７】
次に、ガスシリンダー操作部４０およびガスシリンダー３０の上端部分の詳細構成を説明する。図８(a)において１８，１９は支持部材であり、略長方形板状に形成され、本体部１０の左右方向の略中央部下面から突出するように設けられている。支持部材１８，１９には、厚さ方向（図上では左右方向）に貫通する円形の貫通孔１８ａ，１９ａが各々形成されている。４２はレバーであり、略長尺円柱状の金属棒によって構成され、貫通孔１８ａ，１９ａに遊挿されることにより、楽器本体前後方向（図上では左右方向）に移動可能なように、支持部材１８，１９によって支持される。
【００１８】
レバー４２の前方端（図上では左端）には、ユーザによって把持されるノブ４１が固着されている。このレバー４２において、ノブ４１と支持部材１８との間、ほぼ中央部分、および、後方端部には、レバー４２の半径方向に円盤状に突出するように円盤部４９，４３，４４が固定されている。これら円盤部４９，４３，４４の直径は、何れも貫通孔１８ａ，１９ａの直径よりも大きくなっており、図８(a)の状態において円盤部４９は支持部材１８に当接している。円盤部４４と支持部材１９との間においては、コイルばね４５がレバー４２に挿通されており、コイルばね４５の両端部は支持部材１９および円盤部４４に当接している。
【００１９】
次に、４７は操作板であり、長尺状の長方形金属板を長手方向に沿って約「６０°」の「レ」字状に折り曲げて形成されている。操作板４７は、本体部１０の下方において左右方向に沿って延設されるとともに、図上で紙面に垂直な軸である回転軸４６を中心として回動可能に軸支されている。４８は軸支持部であり、本体部１０の下面から突出し、回転軸４６を本体部１０に固定している。なお、軸支持部４８は、操作板４７を挟むように左右一対設けられているが、図８(a)，(b)においては左側の軸支持部のみを図示する。また、操作板４７は、図示しないコイルばね等で、回転軸４６を中心に時計回りに付勢されるような構造であってもよい。
【００２０】
操作板４７には、円盤部４３よりも径の小さな貫通孔４７ａが形成されており、円盤部４３よりも手前側（図上で左側）においてレバー４２が貫通孔４７ａに挿通している。なお、貫通孔４７ａは円盤部４３より開口部の狭い切欠きであってもよい。また、ガスシリンダー３０のシリンダー部３０ａの上端部は、フランジ部３２の、ガスシリンダー３０に対して直交する面に固定されている。これにより、本体部１０は、フランジ部３２を介してガスシリンダー３０によって支持される。また、シリンダー部３０ａの上端中央には、押下によりシリンダーストローク調整が可能になるガス制御ピン３０ｄが設けられ、フランジ部３２に形成された貫通孔３２ａを挿通して、上方に突出している。
【００２１】
上記構成において、ユーザがノブ４１を把持して手前側に引いた状態を図８(b)に示す。図示の状態では、円盤部４４および支持部材１９に挟まれたコイルばね４５が圧縮されている。そして、円盤部４３によって操作板４７が押圧されることにより、操作板４７は回転軸４６を中心に反時計方向に回動し、左右一対に設けられたガスシリンダー３０のガス制御ピン３０ｄを押し下げる。これにより、ガスシリンダー３０は伸縮可能な状態になる。ここで、ユーザが本体部１０の高さを所望の高さに調節した後にノブ４１から手を離すと、コイルばね４５の弾発力により、ガスシリンダー操作部４０の状態が元の状態（図８(a)）に戻り、本体部１０の高さがその時点の位置に固定される。
【００２２】
4．変形例
本発明は上述した実施例に限定されるものではなく、例えば以下のように種々の変形が可能である。
(1)上記第１，第３実施例においては、第２実施例のペダルユニット８０に相当するものは設けられていなかったが、第１，第３実施例においてもペダルユニットを設けてもよい。但し、子供の演奏者９４によっても操作しやすくするためには、前後方向に移動可能なペダルユニットを採用すると好適である。
【００２３】
(2)上記各実施例においては、本体部１０を昇降させる機構として、ネジ穴７２ａ，７４ａとネジ７６（第１，第２実施例）、またはガスシリンダー３０（第３実施例）を採用したが、これら以外にも、例えばネジまたはナットを回転させて昇降させるネジ式昇降機構や、ラチェット式昇降機構などを採用してもよい。
【００２４】
(3)上記第３実施例においては、ガイド部２６はガイドシリンダー２６ａとガイドピストン２６ｂとから構成されていたが、ガイド部材はこれに限定されるものではなく、スライドレール、ローラー、ラックレール機構などを適用してもよい。
【００２５】
(4)上記各実施例においては、本体部１０を支持するスタンド部を、上スタンド部７２（または２２）と、下スタンド部７４（または２４）とに「２」分割したが、これらスタンド部を「３」以上に分割してもよい。これにより、本体部１０の最低高さをより低くすることができ、特に第２実施例に適用して好適である。
【図面の簡単な説明】
【００２６】
【図１】本発明の第１実施例の電子鍵盤楽器の右側面図である。
【図２】第１実施例の電子鍵盤楽器の正面図である。
【図３】第１実施例の電子鍵盤楽器の高さ変更後の右側面図である。
【図４】第２実施例の電子鍵盤楽器の右側面図である。
【図５】第２実施例の電子鍵盤楽器の高さ変更後の右側面図である。
【図６】第３実施例の電子鍵盤楽器の右側面図である。
【図７】第３実施例の電子鍵盤楽器の高さ変更後の右側面図である。
【図８】ガスシリンダー操作部４０の右側面図である。
【符号の説明】
【００２７】
１０：本体部、１２：鍵盤、１４：譜面台、１６：スピーカ、１８，１９：支持部材、１８ａ，１９ａ：貫通孔、２２：上スタンド部、２４：下スタンド部、２６：ガイド部、２６ａ：ガイドシリンダー、２６ｂ：ガイドピストン、２８：台座、３０：ガスシリンダー、３０ａ：シリンダー部、３０ｂ：ピストン部、３０ｄ：ガス制御ピン、３２ａ：貫通孔、４０：ガスシリンダー操作部、４１：ノブ、４２：レバー、４３，４４，４９：円盤部、４５：コイルばね、４６：回転軸、４７：操作板、４７ａ：貫通孔、４８：軸支持部、７２：上スタンド部、７２ａ，７４ａ：ネジ穴、７４：下スタンド部、７６：ネジ、７８：梁部材、８０：ペダルユニット、９０：大人の演奏者、９２：鍵盤楽器演奏用椅子、９４：子供の演奏者、９６：ソファ。
【図１】
2008281592.tif 000003
【図２】
2008281592.tif 000004
【図３】
2008281592.tif 000005
【図４】
2008281592.tif 000006
【図５】
2008281592.tif 000007
【図６】
2008281592.tif 000008
【図７】
2008281592.tif 000009
【図８】
2008281592.tif 000010